Podtech/llm-jp-corpus-v4-ja_patent huggingface dataset:
(57)【要約】【課題】芝を育成しようとする地面の測量を行わずに意図した面積と高さに隆起をさせること或いは、複雑な立体形状を芝が生育し根をはるまで保持するために、段ボール製シートを井桁状に組み合わせた造園用骨組みを用いた立体造園工法を提供する。【解決手段】完成後の立体造園を想定した大きさ、形状に設計加工した段ボールシートを井桁状に組み合わせた立体形状の骨組み（１）を庭園などの任意の場所に設置し、井桁状の骨組みの升目に立体形状の土壌となる床土（２）を充填し、芝苗をシート状にしたもの（３）を立体形状の表面に設置した後、更に土を被せ芝苗を育成することにより土台が安定するまでの期間、土を盛り上げただけでは不安定な意図した複雑な立体形状を保持することができると共に、一定期間の後、土中の骨組みが生分解により立体形状内に残存しない環境影響の極めて少ない段ボール製の造園用骨組みを用いた立体造園工法とした。【選択図】  図７
2010068767.tif 000002
【特許請求の範囲】
【請求項１】
芝を用いた造園作業に於いて事前に設計、加工した段ボール製シートを井桁状に組み合わせた骨組みの上に土を充填し芝苗を設置することにより測量を行わずに意図する面積と高さに隆起した芝の育成した地面を形成すること、或いは芝が生育し根をはって土台が安定するまでの期間、土を盛り上げただけでは不安定な任意の造形の土台を保持することができることを特徴とする段ボール製の造園用骨組みを用いた立体造園工法。
【請求項２】
芝を用いた造園作業に於いて芝が育成し土台が安定した後に、素材の有する特性である生分解によって骨組みが土になることにより環境に与える負荷が極めて少ないことを特徴とする請求項１に記載の段ボール製の造園用骨組みを用いた立体造園工法。
【発明の詳細な説明】
【技術分野】
【０００１】
本発明は、芝を用いた造園作業に於いて安価で容易に作成でき環境影響の低い骨組みを用いて景観の向上や利便性などを目的として芝の生育した地面を測量を行わずに意図した面積と高さに隆起をさせることや、表面の芝が生育し根をはるまで土台を意図した形状に保持するための立体造園工法に関するものである。
【背景技術】
【０００２】
従来の芝を用いた造園作業に於いて土台となる地面を隆起させたり、意図した立体形状を形成するには、土を盛り上げて形成するものが一般的である。
【発明の開示】
【発明が解決しようとする課題】
【０００３】
従来の芝を用いた造園作業に於いて立体形状を形成するために土を盛り上げて土台となる地面を隆起させる方法では隆起させる面積や高さを調整するために、測量が必要であることから多くの時間と工数を要する。
【０００４】
また、複雑な立体形状を形成するには土を盛り上げただけでは表面の芝が生育し根をはるまで形状を保持することが困難である。
【課題を解決するための手段】
【０００５】
本発明は、記述の課題を解決した芝を育成しようとする地面を測量を行わずに意図した面積と高さに隆起をさせること或いは、複雑な意図した立体形状を芝が生育し根をはるまで保持するために、意図した立体形状の外観を形成するように設計、加工した複数の大きさの段ボール製シートを井桁状に組み合わせた骨組みを任意の場所に設置し、土を充填し芝苗を設置することにより、表面の芝が生育し根をはるまで土台を意図した形状に保持するための段ボール製の造園用骨組みを用いた立体造園工法を提供する。
【発明の効果】
【０００６】
本発明は、芝を用いた造園作業に於いて事前に設計、加工した段ボール製シートを井桁状に組み合わせた骨組みを任意の場所に設置し、土を充填し芝苗を設置することにより多くの時間と工数を要する測量を行わずに意図する面積と高さに隆起した芝の育成した地面を形成することができる造園用骨組みを用いた立体造園工法である。
【０００７】
本発明は、芝を用いた造園作業に於いて事前に設計、加工した段ボール製シートを井桁状に組み合わせた骨組みを任意の場所に設置し、土を充填し芝苗を設置することにより芝が育成し根をはって土台が安定するまでの期間、土を盛り上げただけでは不安定な複雑な立体形状を保持することができる造園用骨組みを用いた立体造園工法である。
【０００８】
本発明は、芝が育成し土台が安定した後に、素材の有する特性である生分解によって段ボール製骨組みが土になることにより環境に与える負荷が極めて少ない造園用骨組みを用いた立体造園工法である。
【発明を実施するための最良の形態】
【０００９】
以下、本発明の実施の形態として一実施例を図１〜図７に基づいて説明する。
【００１０】
図１は立体造園工法に於ける立体形状を形成するための骨組みを示し、図２〜図６にて代表的な施工方法を示し、図７に施工が完了し立体造園が完成した状態の順に示す。
【００１１】
図１に示すように完成後の立体造園を想定した大きさ、形状に設計加工した段ボールシートを井桁状に組み合わせ立体形状の骨組み（１）を形成する。
【００１２】
図２は組み立てた骨組みを庭園などの任意の場所に設置し、井桁状の骨組みの升目に立体形状の土壌となる床土（２）を充填する状態の全体斜視を示す。
【００１３】
図３は井桁状の骨組み全体に升目が隠れる程度まで床土が充填された状態の立体形状の全体斜視を示す。
【００１４】
骨組みに床土を充填した後、図４の斜視図と断面図に示すように芝苗をシート状にしたもの（３）を立体形状の表面に設置する。
【実施例】
【００１５】
図５は土が充填された立体形状の表面全体に、芝苗のシートが設置された状態の全体斜視と側面方向からの断面を示す。
【００１６】
立体形状の表面全体に芝苗のシートが設置された後、図６の斜視図と断面図に示すように更に薄く土（４）を被せ芝苗を育成する。
【００１７】
図７は芝苗が生育し定着して立体形状が完成した状態の全体斜視と側面方向からの断面であり、一定期間の後、段ボール製の骨組みが土中で生分解し異物として立体形状内に残存していない状態を断面図に示す。
【図面の簡単な説明】
【００１８】
【図１】立体形状の骨組みを示した。
【図２】骨組みを設置し床土を充填する過程を示した。
【図３】図２の状態に続く床土が全体に充填され、骨組みの升目が隠れ立体形状になった状態を示した。
【図４】図３の状態に続く立体形状に芝苗のシートを設置する過程を示した。
【図５】図４の状態に続く立体形状の表面全体に芝苗のシートが設置された状態を示した。
【図６】図５の状態に続く立体形状の全面に芝苗シートが設置された後、更に土を被せる過程を示した。
【図７】苗が生育し立体形状の表面全体に定着すると共に、土中の骨組みが生分解により立体形状内に残存していない状態を示した。
【符号の説明】
【００１９】
１  骨組み
２  床土
３  芝苗シート
４  土
【図１】
2010068767.tif 000003
【図２】
2010068767.tif 000004
【図３】
2010068767.tif 000005
【図４】
2010068767.tif 000006
【図５】
2010068767.tif 000007
【図６】
2010068767.tif 000008
【図７】
2010068767.tif 000009
(57)【要約】 【課題】      本発明は、中空合成樹脂製のサビキウキの最上部に発光体と電池を組み込んだウキのトップを、本体上部の螺子穴に捻じ込む構造とすることで、浸水の心配をなくすことを目的とするものである。【解決手段】      本発明は上記目的を達成するために、密閉型中空合成樹脂製のサビキウキ本体の最上部に突出した当たり視認用棒状部の上下中間位置に螺子穴を形成し、発光体としてのLED及び電源としての小型リチウム電池を組み込んだウキのトップを、浸水防止ゴムを挿み上部棒状部の螺子穴に捻じ込む構造としたことで、浸水の心配を殆ど考慮しなくて済むサビキウキとなった。【選択図】  図１
2010068769.tif 000002
【特許請求の範囲】
【請求項１】
本発明は上記目的を達成するために、密閉型中空合成樹脂製のサビキウキ本体の最上部に突出した棒状部の上下中間位置に螺子穴を形成し、発光体としてのLED及び電源としての小型リチウム電池を組み込んだウキのトップを、浸水防止ゴムを挿み上部棒状部の螺子穴に捻じ込む構造としたことで、浸水の心配を殆ど考慮しなくて済むサビキウキである。
【発明の詳細な説明】
【技術分野】
【０００１】
本発明は夜間の釣りにおいての、発光機能を付加した中空合成樹脂製ウキに関するものである。
【背景技術】
【０００２】
従来の電気発光合成樹脂製のウキは、発光体は上部に突出したトップ内部に組み込みながらも、電源としての小型リチウム電池は螺子穴をウキ本体下側中央部に形成し、挿嵌して合成樹脂製の蓋としての螺子を本体下部にねじ込む構造となっているものがあった。
【発明の開示】
【発明が解決しようとする課題】
【０００３】
以上に述べた従来の電気発光合成樹脂製のウキは、螺子穴をウキ本体下側中央部に形成し、小型リチウム電池を挿嵌して合成樹脂製の蓋としての螺子をねじ込む構造となっているため、実際の使用時に於いては蓋としての捻じ込み部分は常に水中に有り、防水が不完全である場合には浸水し易いという問題があった。
【０００４】
本発明は、中空合成樹脂製のサビキウキの最上部に発光体と電池を組み込んだウキのトップを、本体上部の螺子穴に捻じ込む構造とすることで、浸水の心配をなくすことを目的とするものである。
【課題を解決するための手段】
【０００５】
本発明は上記目的を達成するために、密閉型中空合成樹脂製のサビキウキ本体の最上部に突出した棒状部の上下中間位置に螺子穴を形成し、発光体としてのLED及び電源としての小型リチウム電池を組み込んだウキのトップを、浸水防止ゴムを挿み上部棒状部の螺子穴に捻じ込む構造としたことで、浸水の心配を殆ど考慮しなくて済むサビキウキである。
【発明の効果】
【０００６】
本発明は上述したように、発光部分であるトップ部分の捻じ込み部を、ウキ使用時に於ける喫水線よりかなり上部に設けたことで、釣りに於いての使用時には捻じ込み部は常に喫水線より上部にあり、水面下になる場合は魚によるアタリがあった場合であり時間も短いため、浸水の心配を殆ど考慮しなくて済むサビキウキとなった。
【０００７】
また、発光体と小型リチウム電池を組み込んだトップ部を捻じ込む位置を、ウキの浮力部としての本体より上方へ突出したアタリ取りのための棒状部に形成したことで、浮力体としてのウキ本体上部が喫水線付近になるように浮力調整をした場合に於いても、浸水の可能性は極めて低いサビキウキとなった。
【発明を実施するための最良の形態】
【０００８】
以下、本発明の実施の形態を図１に基づいて説明する。
【０００９】
本発明は上記目的を達成するために、密閉型中空合成樹脂製のサビキウキ本体４の最上部に突出した棒状部の上下中間位置６に螺子穴を形成し、発光体としてのLED２及び電源としての小型リチウム電池３を組み込んだウキのトップ部１を、浸水防止ゴム７を挿み上部棒状部の螺子穴に捻じ込む構造としたことで、浸水の心配を殆ど考慮しなくて済むサビキウキとなった。更に衝撃等の反動による小型リチウム電池のズレを防止する電池受け５をウキ本体内部に形成した。
【図面の簡単な説明】
【００１０】
【図１】本発明の電池挿嵌時に於ける側面断面図である。
【符号の説明】
【００１１】
１、ウキTOP部    ２、発光体LED    ３、リチウム小型電池  
４、ウキ浮力部本体  ５、電池受け  ６、TOP捻じ込み位置  ７、浸水防止ゴム
【図１】
2010068769.tif 000003
(57)【要約】【課題】  （イ）コバエなどは低い所で台所の生ゴミや流し台、部屋の観葉植物の根元などに集まってくる為天井から下げていたはえとりリボンでは捕獲できなかった。  （ロ）従来のはえとりリボンは埃りなどで粘着がわるくなれば新しい商品と交換しなければならなかった為日保ちが悪かった。【解決手段】  両面に粘着剤をつけたリボンがロールに巻かれて、そのロールを箱に収納し、ロールからリボンの先端部分を箱から引き出して本体の上の部分にある巻きとりロールに止め、ハンドルを回せばコバエとり器のリボンの両面粘着剤にコバエを粘着捕獲することを特徴とする巻き取り式コバエとり器【選択図】    図１
2010068762.tif 000002
【特許請求の範囲】
【請求項１】
両面に粘着剤をつけたリボンがロールに巻かれて、そのロールを箱に収納し、ロールからリボンの先端部分を箱から引き出して本体の上の部分にある巻きとりロールに止め、ハンドルを回せばコバエとり器のリボンの両面粘着剤にコバエを粘着捕獲することを特徴とする巻き取り式コバエとり器。
−１−
【発明の詳細な説明】
【技術分野】
【０００１】
この発明は天井から下げていたはえとりリボンを改良し、卓上形の巻き取り式コバエとり器に関するものである。
【背景技術】
【０００２】
リボンの形をしたはえとりリボンは１度天井からぶら下げれば埃りなどで粘着がわるくなれば別の新しい商品と交換しなければならなかった。また、面上の粘着テープを枠体内側に貼ったはえ取り具なども提案されている。
【特許文献１】特開２００３−１２５号公報
【発明の開示】
【発明が解決しようとする課題】
【０００３】
（イ）コバエなどは低い場所の台所や生ゴミ、流し台部屋に置いている観葉植物の根元などに集まってくる為天井から下げていた従来のはえとりリボンでは捕獲できなかった。
（ロ）はえとりリボンは１度ぶら下げれば埃りなどで粘着がわるくなればはえとりリボンを新しい商品と交換しなければならなかった。
【課題を解決するための手段】
【０００４】
両面に粘着剤をつけたリボンがロールに巻かれて、そのロールを箱に収納し、
ロールからリボンの先端部分を箱から引き出して本体の上の部分にある巻き取
りロールに止め、ハンドルを回せばコバエとり器となり、リボンの両面粘着剤
にコバエを粘着捕獲することを特徴とする巻き取り式コバエとり器
【発明の効果】
【０００５】
（イ）今までは天井から吊るす方法だけだったがこの本体は台所やゴミ箱、植木鉢の横などに置くとコバエなど沢山捕獲できる事が実験で証明する事ができた。
（ロ）巻き取り式にした為つねに粘着の良い状態を保つ事ができる。
【発明を実施するための最良の形態】
【０００６】
巻き取り式コバエとり本体１の中央の小箱２の中にロール体８に巻いている
リボン４を引き出し巻き取りロール３にリボン４の先端の紐９の部分について
いる画鋲１０を押しつけてハンドルを回転させるものである。
【０００７】
コバエとりリボン４の粘着面が埃りなど付着してコバエなどの捕獲が悪くなれば巻き取りロール３のハンドル７を巻けば新しいコバエとりリボンが出てくる。
【０００８】
リボン４が巻かれたロール体８は１．３mのリボンが巻かれている為１度の使用するリボンの長さは３０cm〜４０cmである為ほぼ２〜３週間おきに新しいリボンに巻きかえれば２〜３ヶ月使用可能である。
【０００９】
尚、本体１の上にはコバエの餌となる酢を入れる容器６がおかれている。この酢の臭でコバエを寄せつけリボン４に粘着させるものである。
【図面の簡単な説明】
【００１０】
【図１】本発明巻き取り式コバエ器の斜視図である。
【図２】リボンが巻かれたロール体を入れている箱の断面図である。
【符号の説明】
【００１１】
１．    本体
２．    ロール体を入れた箱
３．    巻きとりロール
４．    リボン（コバエを粘着する部分）
５．    本体を支える支柱
６．    コバエの酢を入れる餌入れ
７．    巻きとりハンドル
８．    ロール体
９．    リボン先端の紐
１０．  画鋲
【図１】
2010068762.tif 000003
【図２】
2010068762.tif 000004
(57)【要約】【課題】    高所の果実の摘果や収穫を安全に又便利に作業が進ようにするもの。【解決手段】    竿の先に花びらの形態に似た果実摘果を設け脚立を使用しなくとも度の角度からでも果実の果梗部に充て竿部を捻る事により果実頭部分をテコの作用で果実が落下する。又、収穫の時には摘果具の竿に果実の受取網をセットする事により収穫具としても使用でき、なおかつ脚立を必要としないので転落の心配がない便利な果実摘果及び収穫具でる。【選択図】図４
2010068794.tif 000002
【特許請求の範囲】
【請求項１】
果実頭押線（１）の元に押線支持部（２）に嵌入し連結雄部（３）を設け竿（５）の先端に連結雌部（４）を設けた事を特徴とする果実摘果及び収穫具。
【請求項２】
連結雄部（３）と連結雌部（４）に果実受枠支持部（６）を装着し果実受枠（７）を嵌入し果実受網（８）を設けた事を特徴とする請求項１の果実摘果及び収穫具。
【発明の詳細な説明】
【技術分野】
【０００１】本発明は、高所の果実の摘果や収穫が安全かつ便利に幅広く使用できる果実摘果及び収穫具に関するものである。
【背景の技術】
【０００２】果実の摘果は寒い早春から始まり何回となく繰返し手作業が行われる、特に高所の作業は脚立を使っての作業になるため危険度が高い為に容易なもでわなく、収穫もまた同じ様に高所の作業は危険が伴うものである。
【発明が解決しようとする課題】
【０００３】従来、高所の摘果や果実の収穫は、脚立を何度となく場所を代え脚立の足場を確認をし尚かつ安全を確かめの作業に成るため手間と時間が掛かり容易でなかった。以上の問題点を解決するためのものである。
【課題を解決するための手段】
【０００４】鉄線や樹脂線等を花びら様に加工し、果実の果梗を挟むようにし、その両端を固定し竿の先端に連結した事をを特徴とする果実摘果及び収穫具であ
【０００５】竿の先端の連結部に果実を受取る枠を設け、竿に装着しその枠にあみを内設した事を特徴とする果実摘果及び収穫具である。
【発明の効果】
【０００６】竿を果樹の高さにする事により地面から果実の不要な実を簡単に摘果する事が出来、脚立の持運びや高い所からの危険が無くなった。
【０００７】竿に果実受枠を設け網を内設した事により地面から高い場所の果実を簡単に収穫が出来、安全と作業能率アップがいられる。
又、果実受枠支持部は簡単に取り外しが出来るので取扱が簡単である。
【発明を実施するための形態】
【０００８】  以下、本発明の実施の形態について図面を参照して説明する。
図１の果実頭押線１の両端部を押線支持部２嵌入し、その下部に連結雄部３を設け竿５の先端部に連結雌部４を設ける。
【０００９】  図２の、竿５先端に連結雌部４を設け連結雄部３と螺着する、押線支持部２に果実頭押線１の両端を嵌入する。
【００１０】  図３の果実受枠７に果実受網８を内設し果実受枠７の両端を果実受枠支持部６に嵌入する。
【００１１】  図４の竿５の連結雌部４と連結雄部３を螺着した部分に果実受支持部６を嵌通し果実頭押線１の真下に置く。
【００１２】  図４の果実頭押線１を枝（ウ）と果実（ア）の果梗（イ）を挟み込むように差込み収穫時に果実受枠支持部６を竿５に嵌通し使用する。
【００１３】  図５は、枝（ウ）に果梗（イ）と果実（ア）が下がり度の方向からでも果実頭押線１を果梗（イ）を挟み込むように差込み竿５を左右に捻ると果実（ア）の果実頭を下に押し下げるテコの力が働き実は落下する。
【００１４】  図６は、枝（ウ）と果梗（イ）に果実（ア）を表し果実頭押線１を花びらの形態に例えると花びらと花びらの元の部分に果梗（イ）を挟み込むに誘導して花びらの中央部から先端部の部分を果実（ア）果実頭部に充てて落下させる。
【図面の簡単な説明】
【００１５】
【図１】本発明の斜視図
【図２】本発明の一部を視図にした平面図
【図３】本発明の斜視図
【図４】本発明の側面図と一部使用参考図
【図５】本発明の使用参考図と平面図
【図６】本発明の使用参考側面図
【符号の説明】
【００１６】１    果実頭押線
２    押線支持部
３    連結雄部
４    連結雌部
５    竿
６    果実受枠支持部
７    果実受枠
８    果実受網
【参考符号の説明】
【００１７】ア    果実
イ    果梗
ウ    枝
【図１】
2010068794.tif 000003
【図２】
2010068794.tif 000004
【図３】
2010068794.tif 000005
【図４】
2010068794.tif 000006
【図５】
2010068794.tif 000007
【図６】
2010068794.tif 000008
(57)【要約】      （修正有）【課題】つけものを作る時、つけものに圧力を均等にかけ続けることができる、つけもの器を提供する。【解決手段】ポンプ１内の空気を上下の弁２に送りこむ。その時、下の弁２は空気の圧力で開き、上の弁は閉じる。送り込まれた空気はビニール袋４内にはいり、ビニール袋４内全面を圧縮する。そして、ポンプ１をにぎるのをやめると下の弁は閉じ上の弁は開いて、空気がポンプ１内へはいる。この動作くりかえし行うと、ビニール袋４内の圧力が高まる。このように、ビニール袋内の全面を圧縮しつづけると、時がたてばつけものを作ることが出来る。又ビニール袋内の空気をぬく時は空気穴上下２つの弁をつまようじの棒ようなものでつけば空気が外にでる。【選択図】図２
2010068795.tif 000002
【特許請求の範囲】
【請求項１】
このつけもの器は空気圧を利用したものである
【請求項２】
このつけもの器は空気の圧力を２つの弁で調整する
【請求項３】
このつけもの器はビニール袋がつけもの全面を圧縮する
【請求項４】
このつけもの器は冷蔵庫にも入れる事が可能
【請求項５】
このつけもの器はネジ式よりコンパに作られる
【請求項６】
このつけもの器は原料が安くつく
【請求項７】
このつけもの器はつけものを取っても入れても空気圧が加わる
【請求項８】
つけもの器の圧力は均等に加わる
【発明の詳細な説明】
本発明はポンプをにぎるとポンプ内の空気が下の弁をとおってビニール袋内へ入る  その時上の弁は閉じている  さらに同じようにポンプ開放にすると空気の流れが変わり上の弁は開き基にもどる性質により下の弁は閉じる
この様な事をくりかえし行うとビニール袋の圧力が高まりビニール袋内の全面を圧縮しつづけると時がたてばつけものを作ることが出来る
又ビニール袋内の空気をぬく時は空気穴上下２つの弁をつまようじの棒ようなものでつけば空気が外にでる同じようにポンプをはずし下の弁を曲った針金でつく。
【図面の簡単な説明】
【図１】本発明の正面図
【図２】本発明の使用状能を示すＬ断面図である
【符号の説明】
１  ポンプ          ５  生ゴム        ９  上ふた
２  弁              ６  ベルト      １０  底
３  穴              ７  ネジ        １１  圧力
４  ビニール袋      ８  カギ
（追加）図２のビニールのはし袋４が技術的に可能なら内がわの点線４をプラスチックに接着したほうが良い
又ビニール袋４と上ふた全面を接着しても良い
【図１】
2010068795.tif 000003
【図２】
2010068795.tif 000004
【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
このつけもの器は空気圧を利用したものである
【請求項２】
このつけもの器は空気の圧力を２つの弁で調整する
【請求項３】
このつけもの器はビニール袋がつけもの全面を圧縮する
【請求項４】
このつけもの器は冷蔵庫にも入れる事が可能
【請求項５】
このつけもの器はネジ式よりコンパクトに作られる
【請求項６】
このつけもの器は原料が安くつく
【請求項７】
このつけもの器はゴム袋で空気の圧力を保つ
【請求項８】
つけもの器の圧力は均等に加わる
【手続補正２】
【補正対象書類名】明細書
【補正対象項目名】全文
【補正方法】変更
【補正の内容】
【発明の詳細な説明】
本発明はポンプをにぎると、ポンプ内の空気が下の弁をとおってビニール袋内へ入る、その時上の弁は閉じている  さらに同じようにポンプを開放にすると空気の流れが変わり上の弁は開き基にもどる性質により下の弁は閉じる、
このような事をくりかえし行うとビニール袋の圧力が高まりビニール袋内の全面を圧縮しつづけると時がたてば、つけものを作ることが出来る
又、ビニール袋の空気をぬく時はゴム袋のネジを回わしてはずす
【図面の簡単な説明】
【図１】本発明の正面図
【図２】本発明の使用状態を示す断面図である
【符号の説明】
１  ポンプ              ６  ゴム袋              １１  圧力
２  弁                  ７  ネジ
３  穴                  ８  カギ
４  ビニール袋          ９  上ふた
５  生ゴム            １０  底
材料  プラスチック、ゴム  ビニール
【手続補正３】
【補正対象書類名】図面
【補正対象項目名】全図
【補正方法】変更
【補正の内容】
【図１】
2010068795.tif 000005
【図２】
2010068795.tif 000006
【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
このつけもの器は空気圧を利用したものである
【請求項２】
このつけもの器は空気の圧力を２つの弁で調整する
【請求項３】
このつけもの器はビニール袋がつけもの全面を圧縮する
【請求項４】
このつけもの器は冷蔵庫にも入れる事が可能
【請求項５】
このつけもの器はネジ式よりコンパクトに作られる
【請求項６】
ビニール袋の側面の上の部分を切り取ると直接つけものを圧縮しつづける（食塩水などをかいして）
【請求項７】
このつけもの器はゴム袋で空気の圧力を保つ
【請求項８】
つけもの器の圧力は均等にかかる
(57)【要約】【課題】球根の根の部分と茎の部分をカット加工が提供できる加工機。【解決手段】モーター軸（１２）に、片刃カッター刃本体軸（８）を連結金具（３）にて固定し、片刃カッター刃本体軸（８）右側に、片刃カッター刃本体の、回転半径以内に片刃カッター刃本体を向き合わせて球根挿入カバー（４）を設けて、球根加工が出来ることを特徴とする菜園用回転式球根加工機。【選択図】図１
2010068790.tif 000002
【特許請求の範囲】
【請求項１】
モーター軸に片刃カッター刃本体軸を連結金具にてカッター刃を着脱自在に出来るように固定し、片刃カッター刃本体軸に片刃カッター刃本体を取り付け、回転半径以内に片刃カッター刃本体と向き合わせて球根挿入カバーの下端部に球根挿入口を設けた事を特徴とする菜園用回転式球根加工機。
【発明の詳細な説明】
【技術分野】
【０００１】  本発明は、球根のひげ根、茎を切断加工できる菜園用回転式球根加工機に関するものである。
【背景技術】
【０００２】  従来、菜園用の球根加工方法としては、動力で加工できる加工機がなく、カッターの刃を、自分の方に向けて台に立てた、カッター刃に、人力で球根を押しつけて、根の部分と茎の部分を切り取り加工をしていた。
【発明の開示】
【発明が解決しようとする課題】
【０００３】  そのために、次のような問題点があった。
（イ）カッター刃が露出しているため、指を切る等非常に危険である。
（ロ）能率が非常に悪い。
（ハ）カッター刃が、露出しているため、神経を集中するので非常疲労が大きい。
本発明は、これらの問題点を解決するためになされたものである。
【課題を解決するための手段】
【０００４】  モーター軸（１２）に、片刃カッター刃本体軸（８）を連結金具（３）にてカッター刃を着脱自在に出来るように固定し、片刃カッター刃本体軸（８）に片刃カッター刃本体を取り付け、回転半径以内に片刃カッター刃本体と向き合わせて球根挿入カバー（４）の下端部に球根挿入口（１８）を設けた事を特徴とする菜園用回転式球根加工機
【発明の効果】
【０００５】  （イ）従来、１日掛かって行われていた球根の根と茎の切り作業が、２時間位で出来るようになり、効率が非常によくなった。
（ロ）露出したカッター刃と直面しないので集中神経の疲労が改善された。
（ハ）指を切断する等の危険から解放された。
（ニ）片刃カッター刃本体の回転により、挿入される球根の、ひげ根がカット出来、球根を裏返し挿入する事で茎がカット出来、球根加工が簡単に出来る、モーターの回転は低速回転とする、安定した球根加工が出来、切りカスも切りカス排出口から排出され、能率の良い、安全な、球根加工作業が簡単に出来る。
【発明を実施するための最良の形態】
【０００６】  本発明は、モーター軸（１２）に、片刃カッター刃本体軸（８）を連結金具（３）にてカッター刃を着脱自在に出来るように固定し、片刃カッター刃本体軸（８）に片刃カッター刃本体を取り付け、回転半径以内に片刃カッター刃本体と向き合わせて球根挿入カバー（４）の下端部に球根挿入口（１８）を設け、球根挿入口（１８）より挿入された球根（１４）とひげ根（１５）、茎（１６）を上下に裏返しする事によって両端が加工出来る。又、球根（１４）等の切りカスは切りカス排出口（１７）よりスムーズに排出される。
本発明は以上のような構造である。【０００７】  本発明を用いると、球根（１５）と根を数多く切断し長時間使用しているとカッター刃が切れなくなる場合には切れ無くなった片刃カッター刃（６）を簡単に着脱自在に交換できる。
又回転物には片刃カッター刃兼モーターカバー（７）で被ってある為何かの原因でカッター刃が破損しても作業は安全に出来る。
【図面の簡単な説明】
【０００８】
【図１】本発明の斜視図
【図２】本発明の部分斜視図
【図３】本発明の片刃カッター刃本体平面図
【図４】本発明の片刃カッター刃本体
【図５】本発明の片刃カッター刃本体断面図
【符号の説明】
【０００９】  １  全体取り付け台
２  台足
３  連結金具
４  球根挿入カバー
５  球根挿入カバー取り付け台
６  片刃カッター刃
７  片刃カッター刃兼モーターカバー
８  片刃カッター刃本体軸
９  片刃カッター刃締め付けナット
１０  片刃カッター刃取り付け金具
１１  モーター
１２  モーター軸
１３  モーター据え付け台
１４  球根
１５  ひげ根
１６  茎
１７  切りカス排出口
１８  球根挿入口
【図１】
2010068790.tif 000003
【図２】
2010068790.tif 000004
【図３】
2010068790.tif 000005
【図４】
2010068790.tif 000006
【図５】
2010068790.tif 000007
(57)【要約】【課題】排泄物を回収する場合、シャベル等で拾って持ち帰るが、じかに排泄物を扱うので不快であり、掴み取るときに路面を汚してしまう。また雨の時は身体を屈めることで傘とペットを引き連れながら排泄物の処理作業をすることは不安定な姿勢になり、危険でもある。【解決手段】ペットが排便のしぐさをした時、操作ノブ２ａを引いて可動側係止片７に係止した着脱可能袋容器８の可動側袋側面８ｂの袋容器内側を上向きにて、ワニ口状に開閉して、排泄物を受けるようにした。【選択図】図１
2010068736.tif 000002
【特許請求の範囲】
【請求項１】
把持部１と柄３の中に操作具２をもち、柄３と、その先端に固定側係止片６と、同じく先端に連結するリンク４にて連結する可動側係止リンク5からなる構成にて、その先端にある可動側係止片７に、着脱可能状態に係止した袋容器８を上向きにて、ワニ口状に開閉にすることを特徴とする排泄物回収具。
【発明の詳細な説明】
【技術分野】
【０００１】
本発明は、犬などペットの排泄物を回収するペット用排泄物回収具に関する。
【背景技術】
【０００２】
ペットの排泄物はシャベル等で拾って持ち帰るが、じかに排泄物を扱うので不快であった。  また雨の時は傘をさして身体を屈め、更に、ペットを引き連れながら排泄物の処理作業をすることは不安定な姿勢になり、危険でもある。そこでワニ口状に開閉して排泄物を被せ、閉じて排泄物を捕集するようにしたペット排泄物取り器がある（例えば特許文献１）。
【特許文献１】特開２００１−２１１７７５号
【発明の開示】
【発明が解決しようとする課題】
【０００３】
しかしながら、上記特許文献1は上部より被せ掻き寄せる動作により、排泄物が軟らかい場合、擦りつける状態になり、路面を汚すことになる。
【０００４】
そこで解決しようとする問題点は、片手でペットを引きながら身体を屈めることなく排泄物の収集が出来るようにすることであり、又、排泄物が地面に落ちる前に袋容器８に収集することである。
【０００５】
また、袋容器８の中に排泄物が入ったものをその感触に触れず袋容器を取外すことが出来るようにするものである。
【課題を解決するための手段】
【０００６】
本発明を使用せんとするときは、把持部１を持って操作ノブ２aを操作することで、柄3の先端にある固定側係止片６と、可動側係止片７に係止された袋容器８の開閉を行う。また、操作具２に連結された可動側係止リンク５が旋回することで可動側係止片７により袋容器８の可動側袋側面８ｂを開口状態にて、ペットの排泄物をする姿勢に入る時に差し出すことで袋容器８内に排泄物を受け止めることができる。
【０００７】
こうして回収された排泄物を簡単かつ衛生的にまた、楽な姿勢で収集できるのである。また、前記操作ノブ２aを戻して袋容器８を閉じ、衛生的に持ち帰ることが出来る。
【発明の効果】
【０００８】
ペットの排泄物の処理は苦痛感が伴うが、排泄物を可動側係止片７により開いた袋容器８の可動側袋側面８bが袋容器８ｂの内側を上向きに開くことで、ペット姿勢に合せ易く袋容器８に排泄物を受け止めることが出来、手で触ることなく簡単に処理できるものである。
【０００９】
また、袋容器８の開口部が上向きであるため、移動中足などに当たって開口部が再び開いても、こぼれることもないのである。更に、ペットが再度排泄行為を行った場合でも、袋容器８が上向きであるが為、重ねて排泄物を収集できる。
【発明を実施するための最良の形態】
【００１０】
以下に本発明の実施の形態を図面より参照しつつ説明する。図１は持ち運びする場合の斜視図、図2は袋容器８を外した状態で、閉口動作の斜視図、図３は袋容器８を外した状態で、開口動作の斜視図、図４は持ち運びする場合で袋容器８を装着した状態で閉口状態の斜視図、図５は袋容器８を装着した状態で開口動作をした斜視図である。
【００１１】
本発明の機能は、把握部１を持って操作ノブ２aを操作することで、操作具２により連結された可動側係止リンク５が柄３の先端部を一方の支点としたリンク４を他方の支点として、旋回し、袋容器８開口部の可動側袋側面８ｂが可動側係止片７により、下方に開くものである。
【００１２】
さらに排泄物を回収する場合、上記下方に開いた状態で排泄行為を行うペットに、開口部を当てることで糞を受け取るようにして回収し、終了後は操作具２aを押下げ操作することで、袋容器８の開口部を閉じ持ち帰る。
【００１３】
また、袋容器８は固定側及び可動側ともに、固定側係止片６、可動側係止片７スリット部に巻き込むように係止されるため、回収用具を閉じたままでも、横方向に引くことで容易に抜くことができる。袋容器の開口端は回収具の係止の外側に巻いているので開口部が汚れても回収具より取外すことで袋容器８の内側になるので簡単に処理でき、排泄物を見ないで処理できる。
【００１４】
加えて、可動側袋側面８ｂが路面に当てることが出来るため、一般的なちりとりとしても使用できる利点がある。
【図面の簡単な説明】
【００１５】
【図１】ペット用排泄物回収具の外観図である。
【図２】ペット用排泄物回収具の袋容器８を外した場合の斜視図
【図３】ペット用排泄物回収具の袋容器８を外した場合で開口動作をした一部断面斜視図
【図４】ペット用排泄物回収具の一部袋容器８を装着した場合の閉口時、斜視図
【図５】ペット用排泄物回収具の一部袋容器８を装着した場合の開口時、斜視図
【符号の説明】
【００１６】
１    把持部
２    操作具
２ａ  操作ノブ
３    柄
４    リンク
５    可動側係止リンク
６    固定側係止片
７    可動側係止片
８    袋容器
８ａ    固定側袋側面
８ｂ    可動側袋側面
【図１】
2010068736.tif 000003
【図２】
2010068736.tif 000004
【図３】
2010068736.tif 000005
【図４】
2010068736.tif 000006
【図５】
2010068736.tif 000007
(57)【要約】【課題】  一般家庭に於ける家庭電化製品の待機電力の削減を一括管理する事を可能化させる事により節電効率の改善を図る。【解決手段】  家屋内に設置された分電盤と電化機器を接続する受電コンセント間に、常時通電電線と条件通電電線を併設してなる家庭用分電盤の漏電遮断機と配線用遮断機の間に配線系列の切り替機を設けると共に、コンセントに配線系列切替用スイッチを設けてなる家庭用屋内電気配線システム。【選択図】図１
2010068703.tif 000002
【特許請求の範囲】
【請求項１】
電力引き込み分電盤の分電盤と電力配電コンセント間に常時通電電線と条件通電電線を併設構成する配電回路構成。
【請求項２】
家庭用分電盤の漏電遮断機と配線用遮断機の間に配線切替回路を設けてなる配電網構造。
【請求項３】
電力配電コンセントに配線接続切替えスイッチを設けてなるアウトレット。
【請求項４】
請求項１，２，３、により構成する配電構造。
【発明の詳細な説明】
【技術分野】
【０００１】本発明は、一般家庭に於ける不要な起動待機電力消費の積極的な削減を可能ならしめる電力供給回線構造を提供せんとするものである。
【背景技術】
【０００２】現在、一般消費者の生活空間に於ける消費電力の節減手法は、直接的に目視可能な照明の消灯、五感にて容易に感知可能な、テレビ、ラジオ等のスイッチの切断や空調機器等の消極的な調整行動、等、を行う事による消費電力の節減に対する寄与行動を基準とし、その行動自体に対する満足に依存して居るに過ぎない【０００３】一方、昨今、市場供給されている各種家庭電化製品は、電力供給事情の改善に伴う該電化製品の起動時に於ける機能の立ち上がりの即時性を確保する事による消費者の満足を図る商品の市場供給促進により、一般消費者による節減操作が不可能な起動待機機能を持つ製品が主流となってきて居り、前述の待機電力消費構造型機能を持つ商品の増加を抑制することが最早物理的に困難な状態となって来ている事から、現実的な対応として以下の手法による根本的な問題解決を図らざるを得ない状況になっている。
【発明の開示】
【発明が解決しようとする課題】
【０００４】一般市場への普及を目的とする各種の家電製品の優位性を保持する為の即時立上げ機能を維持する待機電力消費は無視できない状況にあり、これを制御するには対象家電製品の電源プラグのコンセントからの抜き取り、分電盤の切断、受電盤メインスイッチの切断解放しか対応できない状況にある。
上記の行動は、一般家庭に於ける生活の秩序を完全に狂わすものであり決して好ましい事ではない。
【課題を解決する為の手段】
【０００５】１、分電盤とコンセントの間に常時通電電線と条件通電電線を設ける。
２、家庭用分電盤の漏電遮断機と配線用遮断機の間に配線切り替機を設ける。
３、上述コンセントに配線切り換え用スウィッチを設ける。
【発明の効果】
【０００６】コンセント側に接続した家電製品の使途によって、コンセント側のスイッチを常時通電、又は、条件通電に切り替える事により分電盤の配線の切り替機により全家電製品の待機電力を一括管理出来る様になる。
【発明を実施する為の最良の形態】
【０００７】図１に示すごとく、分電盤とコンセントの間に常時通電電線と条件通電電線を接続し、分電盤と個々のコンセントの各々に切り替機を設ける構造を構成する。
【実施例】
【０００８】図１のコンセント側のスイッチ４を家電製品の使途によって切替え、待機電力を削減したいときには、分電盤の切り替機２を切断状態にすることで一括管理する。
【図面の簡単な説明】
【０００９】
【図１】サービスブレーカーからコンセントに至るまでの配線図
【符号の説明】
【００１０】１、サービスブレーカー、又は、漏電ブレーカー
２、分電盤側配線切替スイッチ
３、安全ブレーカー
４、コンセント側配線切替スイッチ
【図１】
2010068703.tif 000003
(57)【要約】【課題】鮮明な画像を大画面で表示することのできる運転模擬装置を安価に実現する。【解決手段】プロジェクタ１０３で景観の周辺部分を表示し、プロジェクタ１０４で景観の中央部分を、周辺部分に合成して表示する。プロジェクタ１０４の画角はプロジェクタ１０３の画角よりも小さいので、両プロジェクタの画素数が同じであっても中央部分の分解能は周辺部分の分解能よりも高くなる。【選択図】図１
2010117668.tif 000002
【特許請求の範囲】
【請求項１】
運転者の操作に基づき、運転者が模擬的に運転する乗物の模擬的な運動を計算する運動計算手段と、
運動計算手段の計算結果に基づき、運転席から見えることになる景観を計算する景観計算手段と、
景観計算手段が計算した景観のうち、その周辺部分の画像を表示する第１の画像表示手段と、
景観計算手段が計算した景観のうち、その中央部分の画像を、第１の画像表示手段による画像の分解能よりも高い分解能で、第１の画像表示手段が表示する画像に合成して表示する第２の画像表示手段とを具備する運転模擬装置。
【請求項２】
前記第１の画像表示手段および前記第２の画像表示手段はそれぞれ、同一のスクリーンに画像を投影する第１および第２のプロジェクタを含み、第２のプロジェクタの画角は第１のプロジェクタの画角よりも小さく、それによって、前記高い分解能を実現する請求項１記載の運転模擬装置。
【発明の詳細な説明】
【技術分野】
【０００１】
本発明は、自動車の運転及び走行を模擬する自動車運転模擬装置に関する。
【背景技術】
【０００２】
自動車の運転・走行の教育・訓練および研究のために、運転及び走行を模擬する自動車運転模擬装置が用いられる。
自動車運転模擬装置は、運転者が模擬の運転席に搭乗し、そのアクセル、ブレーキ、ハンドル等の操作から自動車の運動を計算し、また一方道路や市街地といった景観データベースが設けられ、この運動の結果から運転席から見える景観の変化を計算し、表示装置上に映し出すものである。表示装置はブラウン管や液晶表示があるが、大規模な画面の要求に対しては、プロジェクタでスクリーン上に表示するものが用いられる。
【０００３】
プロジェクタで景観を映し出す場合、全表示画面で鮮明な画像を実現するためには、高解像度のプロジェクタを用いて画面いっぱいに映像を投影する必要がある。しかしながらこういった高解像度のプロジェクタは高価であるばかりではなく、大型になるため、設置が困難になる。また、表示のための画素の数が増えてそのための計算処理に時間を要し、装置の計算速度の能力から、計算処理の単位時間きざみ幅（イタレーションタイム）内で処理が終わらないといった性能上の課題がある。
【発明の開示】
【発明が解決しようとする課題】
【０００４】
本発明の目的は、上記課題を解決し、人間工学の観点から運転者が運転に支障がない映像を実現し、運転・走行の教育・訓練および研究に効果的に使用できる自動車運転模擬装置を得ることにある。
【課題を解決するための手段】
【０００５】
上記の目的は、運転者の操作に基づき、運転者が模擬的に運転する乗物の模擬的な運動を計算する運動計算手段と、運動計算手段の計算結果に基づき、運転席から見えることになる景観を計算する景観計算手段と、景観計算手段が計算した景観のうち、その周辺部分の画像を表示する第１の画像表示手段と、景観計算手段が計算した景観のうち、その中央部分の画像を、第１の画像表示手段による画像の分解能よりも高い分解能で、第１の画像表示手段が表示する画像に合成して表示する第２の画像表示手段とを具備する運転模擬装置により達成される。
例えば、前記第１の画像表示手段および前記第２の画像表示手段はそれぞれ、同一のスクリーンに画像を投影する第１および第２のプロジェクタを含み、第２のプロジェクタの画角は第１のプロジェクタの画角よりも小さく、それによって、前記高い分解能を実現する。
【発明の効果】
【０００６】
運転者が運転模擬装置を操作するとき、その前面の表示装置には乗物の運動計算の結果として景観の変化が映し出されるが、必ずしも表示装置全面にわたって鮮明な画像である必要はない。というのも、円滑かつ安全な走行や確実な危険予知のためには、運転者の視線は乗物の進行方向とその周囲に集中し、遠くのものを見るための分解能は高くなくてはならない（中心視野）。景観の周辺部分は視線の集中度は低く、分解能はそれほど高くなくても良い（周辺視野）。本発明の運転模擬装置では、表示の中央部分の分解能が高いので、周辺部分が中央部分に比べて粗い分解能の表示であっても、運転模擬装置の動作上支障はない。
【発明を実施するための最良の形態】
【０００７】
図１は本発明の一実施形態に係る自動車運転模擬装置の構成を示す。図１において、模擬自動車運転席１０１にはアクセル、ブレーキ、ハンドル等が備えられている。運転席１０１に搭乗した運転者が運転席１０１に備えられたアクセル、ブレーキ、ハンドル等を操作すると、それに応じた信号が計算手段１０５へ入力される。計算手段１０５は例えばコンピュータにより実現される。計算手段１０５においては、アクセル、ブレーキ、ハンドル等の操作（１０５ａ）に基づく自動車の運動を計算し（１０５ｂ）、景観データベース１０５ｄを参照して、この運動の結果により運転席から見える時々刻々の景観を計算して画像データを生成し（１０５ｃ）、計算により得られた景観をプロジェクタ１０３，１０４によりスクリーン１０２上に映し出す。
プロジェクタ１０３はスクリーン１０２上に景観全体の画像１０２ａを映し出すものであり、その中央部分の投影領域がカットされており周辺部のみを映し出す。プロジェクタ１０４はプロジェクタ１０３の画角よりも小さい画角で中央部の画像１０２ｂを周辺部の画像１０２ａに合成して映し出すものである。
図２に一例を示すように、画像１０２ａおよび画像１０２ｂの縦方向の画素数はいずれも１０２４画素である。しかしながら、画像１０２ｂの縦方向の長さは画像１０２ａの縦方向の長さの１／３以下である。横方向についても同様である。したがって、中央部分の画像１０２ｂの分解能は周辺部分の画像１０２ａの分解能の３倍以上となっている。なお、図２ではプロジェクタ１０４からスクリーンまでの距離をプロジェクタ１０３からスクリーンまでの距離よりも短くすることで高い分解能を実現しているが、図１に示すように、画角を小さくすることでも高い分解能を実現することができる。
本実施形態では、安価な低解像度のプロジェクタで表示装置全面に景観を映し出し、中央部分はこの投影領域からカットしておいて同じ安価な低解像度のプロジェクタで投影し、両プロジェクタの映像を合成する。中央部分の表示エリアが狭く低解像度であっても、分解能はかなり高くなり、遠くの映像を鮮明に映し出すことができる。
自動車の運転模擬装置について本発明を説明してきたが、本発明の性質から模擬の対象は自動車に限るものではなく、２輪自動車や鉄道、航空機といった乗物全般の模擬装置に対しても適用可能である。
【図面の簡単な説明】
【０００８】
【図１】本発明の一実施形態に係る自動車運転模擬装置の構成図である。
【図２】中央部分と周辺部分の分解能の違いを説明する図である。
【図１】
2010117668.tif 000003
【図２】
2010117668.tif 000004
(57)【要約】【課題】  球状弁体が入口側に変位するときに環状弁座の中心軸上からズレルことのない逆止弁を提供する。【解決手段】  入口側部材２と出口側部材４からなる弁ケーシングで入口１と弁室５と出口３を形成する。入口１と弁室３の間に環状弁座６を設け、環状弁座６を開閉する球状弁体７を弁室５内に配置する。球状弁体７を環状弁座６へ付勢するコイルバネ８を弁室５内に設ける。出口側部材４の内周壁に内面が総て環状弁座６の中心軸から同心円上に位置するリブ９を設け、リブ９の内面に外周が摺接するスリーブ１０を球状弁体７とコイルバネ８の間に設ける。球状弁体７を環状弁座６の中心軸上に保持する窪み部１１をスリーブ１０に設ける。球状弁体７は環状弁座６の中心軸上を変位するスリーブ１０に保持され環状弁座６の中心軸上を変位するので、入口１側に変位するときに環状弁座６の中心軸上からズレルことがない。【選択図】 図１
2010117021.tif 000002
【特許請求の範囲】
【請求項１】
弁ケーシングで入口と弁室と出口を形成し、入口と弁室の間に環状弁座を設け、環状弁座を開閉する球状弁体を弁室内に配置し、球状弁体を環状弁座へ付勢するコイルバネを弁室内に設けたものにおいて、弁ケーシングの内周壁に内面が総て環状弁座の中心軸から同心円上に位置するリブを設け、弁ケーシング内周壁のリブの内面に外周が摺接するスリーブを球状弁体とコイルバネの間に設け、球状弁体を環状弁座の中心軸上に保持する窪み部をスリーブに設けたことを特徴とする逆止弁。
【発明の詳細な説明】
【技術分野】
【０００１】
本発明は液体や気体などの流体配管に取り付けて、流体の入口から出口への順方向の流れは許容するが、その逆方向すなわち出口から入口への流れは阻止する逆止弁に関し、特に球状弁体を環状弁座へコイルバネで付勢したものに関する。
【背景技術】
【０００２】
従来の逆止弁は、弁ケーシングで入口と弁室と出口を形成し、入口と弁室の間に環状弁座を設け、環状弁座を開閉するディスク状弁体を弁室内に配置し、ディスク状弁体を環状弁座へ付勢するコイルバネを弁室内に設けたものである。入口の流体圧力が出口の流体圧力及びコイルバネの付勢力よりも大きくなると、球状弁体がコイルバネを圧縮して環状弁座から離座し、入口の流体が弁ケーシング内周壁と球状弁体外周との間を通って出口に流れる。入口の流体圧力が出口の流体圧力及びコイルバネの付勢力よりも小さくなると、球状弁体が入口側に変位して環状弁座に着座し、出口から入口への流体の逆流を防止する。
【０００３】
上記従来の逆止弁は、球状弁体が入口側に変位するときに環状弁座の中心軸上からズレルと、球状弁体が環状弁座を完全閉止できず、出口から入口へ流体が逆流する問題点があった。
【特許文献１】特開昭６４−３５１８１号公報
【発明の開示】
【発明が解決しようとする課題】
【０００４】
解決しようとする課題は、球状弁体が入口側に変位するときに環状弁座の中心軸上からズレルことのない逆止弁を提供することである。
【課題を解決するための手段】
【０００５】
本発明は、弁ケーシングで入口と弁室と出口を形成し、入口と弁室の間に環状弁座を設け、環状弁座を開閉する球状弁体を弁室内に配置し、球状弁体を環状弁座へ付勢するコイルバネを弁室内に設けたものにおいて、弁ケーシングの内周壁に内面が総て環状弁座の中心軸から同心円上に位置するリブを設け、弁ケーシング内周壁のリブの内面に外周が摺接するスリーブを球状弁体とコイルバネの間に設け、球状弁体を環状弁座の中心軸上に保持する窪み部をスリーブに設けたことを特徴とするものである。
【発明の効果】
【０００６】
本発明は、球状弁体が入口側に変位するときに環状弁座の中心軸上からズレルことがないので環状弁座を完全閉止でき、出口から入口へ流体が逆流することがないという優れた効果を生じる。
【発明を実施するための最良の形態】
【０００７】
本発明は、弁ケーシングの内周壁に内面が総て環状弁座の中心軸から同心円上に位置するリブを設け、弁ケーシング内周壁のリブの内面に外周が摺接するスリーブを球状弁体とコイルバネの間に設け、球状弁体を環状弁座の中心軸上に保持する窪み部をスリーブに設けたものである。そのため、環状弁座の中心軸上を変位するスリーブに保持された球状弁体が環状弁座の中心軸上を変位する。そのため、球状弁体が入口側に変位するときに環状弁座の中心軸上からズレルことがない。
【実施例１】
【０００８】
入口１を有する入口側部材２と出口３を有する出口側部材４をねじ結合して入口１と出口３の間にほぼ円筒状の弁室５を有する弁ケーシングを形成する。入口１の中心軸と出口３の中心軸は同一軸上に形成する。入口側部材２の入口１の弁室５側端に合成ゴムで形成した環状弁座６を設ける。環状弁座６の中心軸は入口１と出口３の中心軸と同一軸上に形成する。環状弁座６を開閉する球状弁体７を弁室５内に配置する。球状弁体７を環状弁座６へ付勢するコイルバネ８を弁室５内に設ける。
【０００９】
出口側部材４の内周壁に複数の例えば８個のリブ９を設ける。リブ９は内面が総て環状弁座の中心軸から同心円上に位置する。リブ９の内面に外周が摺接するスリーブ１０を球状弁体７とコイルバネ８の間に設ける。球状弁体７の一部が嵌り込み球状弁体７を環状弁座６の中心軸上に保持する窪み部１１をスリーブ１０に設ける。コイルバネ８の一端はスリーブ１０に当接し他端はばね受け１２に当接する。ばね受け１２は中央孔１３と中央孔１３の周囲に複数の周囲孔１４を有する。
【００１０】
入口１から流体が流入してきてその流体圧力が出口３側の流体圧力及びコイルバネ８の付勢力よりも大きくなると、球状弁体７がコイルバネ８を圧縮して環状弁座６から離座する。これにより、入口１の流体が出口側部材４のリブの間を通って出口３に流れる。入口１の流体圧力が出口３の流体圧力及びコイルバネ８の付勢力よりも小さくなると、球状弁体７が入口１側に変位して環状弁座６に着座し、出口３から入口１への流体の逆流を防止する。
【００１１】
環状弁座６の中心軸上を変位するスリーブ１０に保持された球状弁体７が環状弁座６の中心軸上を変位するので、球状弁体７が入口１側に変位するときに環状弁座６の中心軸上からズレルことがなく環状弁座６を完全閉止できる。
【図面の簡単な説明】
【００１２】
【図１】本発明の逆止弁の実施例を示す断面図。
【符号の説明】
【００１３】
１  入口
２  入口側部材
３  出口
４  出口側部材
５  弁室
６  環状弁座
７  球状弁体
８  コイルバネ
９  リブ
１０  スリーブ
１１  窪み部
１２  ばね受け
【図１】
2010117021.tif 000003